(57)【要約】  本発明の実施例は、カラーマイクロカプセル電気泳動表示フィルム材の製造方法について開示した。該方法は、異なる単色マイクロカプセルフィルム材をそれぞれ製造し、粘着剤により各単色マイクロカプセルフィルム材を順次積層して粘着させ、複数のフィルム層ユニットを形成し、積層した複数のフィルム層ユニットを、表面と垂直な縦方向上において裁断し、カラーマイクロカプセル電気泳動表示フィルム材を得る。該方法によって得られたカラーマイクロカプセル電気泳動表示フィルム材の光反射率は高く、色彩コントラスト比は広く、色の位置決定は精密である。本発明はさらに、該カラーマイクロカプセル電気泳動表示フィルム材を含む、カラーマイクロカプセル電気泳動表示装置の製造方法について開示した。
2015503116.tif 000002
【特許請求の範囲】
【請求項１】
異なる単色マイクロカプセルフィルム材をそれぞれ製造し、
粘着剤により前記各単色マイクロカプセルフィルム材を順次積層して粘着させ、複数のフィルム層ユニットを形成し、積層した複数の前記フィルム層ユニットを、表面と垂直な縦方向上において裁断し、カラーマイクロカプセル電気泳動表示フィルム材を得ることを特徴とする、カラーマイクロカプセル電気泳動表示フィルム材の製造方法。
【請求項２】
１）白色帯電粒子を含むカラーの単色電気泳動分散液をそれぞれ製造するステップ、
２）得られた前記各単色電気泳動分散液をそれぞれ単色マイクロカプセル表示粒子に封入するステップ、
３）粘着剤と前記各単色マイクロカプセル表示粒子とをそれぞれ混合させ、それぞれ各単色マイクロカプセル電気泳動表示フィルム材を製造するステップ、
４）粘着剤を用いてそれぞれ異なる前記単色マイクロカプセル電気泳動表示フィルム材を、色の順に順次積層して粘着させることで、複数のフィルム層ユニットが積層したものを得るステップを含むことを特徴とする、請求項１に記載の方法。
【請求項３】
前記粘着剤が、水溶性アルキド樹脂、水溶性エポキシエステル樹脂、及びアクリル酸アルキルエステル共重合分散乳液中から選ばれる一種であることを特徴とする、請求項２に記載の方法。
【請求項４】
前記粘着剤が、アクリル樹脂系、水性ポリウレタン系、酢酸ビニル樹脂系またはエポキシエステル樹脂系粘着剤であることを特徴とする、請求項１または２に記載の方法。
【請求項５】
前記縦方向裁断の大きさが、１〜１０個のマイクロカプセルの粒径であることを特徴とする、請求項１〜４のいずれかに記載の方法。
【請求項６】
前記縦方向裁断の大きさが、１〜５個のマイクロカプセルの粒径であることを特徴とする、請求項１〜５のいずれかに記載の方法。
【請求項７】
前記縦方向裁断の大きさが、１〜３個のマイクロカプセルの粒径であることを特徴とする、請求項１〜６のいずれかに記載の方法。
【請求項８】
前記マイクロカプセルの粒径が、１０〜１００μｍであることを特徴とする、請求項１〜７のいずれかに記載の方法。
【請求項９】
前記マイクロカプセルの粒径が、２０〜５０μｍであり、好ましくは、前記マイクロカプセルの粒径が、２０〜３０μｍであることを特徴とする、請求項１〜８のいずれかに記載の方法。
【請求項１０】
前記カラーが、赤色、緑色、青色及び黒色を含むことを特徴とする、請求項１〜９のいずれかに記載の方法。
【請求項１１】
必要なサイズ規格に従って、請求項１〜９のいずれかに記載の方法によって得られたカラーマイクロカプセル電気泳動表示フィルム材を幅面切断するステップ、
切断した後の前記カラーマイクロカプセル電気泳動表示フィルム材を、駆動用背面パネル上に貼り合わせて、カラーマイクロカプセル電気泳動表示装置を製造するステップを含むことを特徴とする、カラーマイクロカプセル電気泳動表示装置の製造方法。
【発明の詳細な説明】
【技術分野】
【０００１】
本発明の実施例は、カラーマイクロカプセルフィルム材及び該カラーマイクロカプセル電気泳動表示装置の製造方法に係るものである。
【背景技術】
【０００２】
電気泳動表示技術（ＥＰＤ）は、普通の紙及び電子表示装置のメリットを併せ持つことから、非常に開発上の潜在力を有する電子表示技術の一つとなっている。電気泳動表示は一般的には二色表示であり、即ち二つの異なる色しか表示することができず、例えば黒−白、赤−青等である。よって、カラー電気泳動表示技術の発展は、人々のカラー化のニーズを満たせるだけでなく、非常に大きな経済収益をもたらすことになり、電気泳動表示の未来における必然的な発展方向である。
【０００３】
現在において、電気泳動表示のカラー化の方法は、カラーフィルターを設けること、電気泳動のスピードを制御すること及びサブピクセルを増やすことを含む。
【０００４】
カラーフィルター法は、二色電気泳動表示装置上部の透明電極板表面に、さらに一層のカラーフィルターを設けることで、カラー表示を実現することであり、カラーフィルターとの間に黒色スペーサーを用いることで、カラークロストークを防ぐ。このように製造されたカラー電気泳動表示装置は比較的高い分解能を有するが、この方法におけるカラーフィルターは反射光の約７０％の損失をもたらし、形成される画像の彩度は大きな影響を受けることになる。光の弱い環境においては、表示スクリーンがとても暗くなってしまう。
【０００５】
電気泳動速度制御法は、透明な電気泳動液中に、３種類の異なる色、異なるゼータ電位を有する、同種類の電荷を帯びている顔料粒子を懸濁させ、電圧を印加することによって、粒子に異なる電気泳動速度を与え、これによりカラー表示を実現する。電気泳動速度制御法により、カラー表示装置を製造する方法は、比較的簡単であるが、３種類の顔料粒子のゼータ電位を精密に制御することは比較的困難であり、画像は高いコントラスト比と輝度を得ることが難しい。
【０００６】
サブピクセル法はマイクロカプセル技術を用いて、それぞれ３種類の異なる色の顔料粒子（例えば赤、緑及び青）の電気泳動液に対して封入を行い、異なる色を示すマイクロカプセルを形成する。次に、照射硬化材料を粘着剤として、初めに一種類の色のマイクロカプセル（例えば赤色マイクロカプセル）を、電極板を形成している基板上に塗布し、フォトマスクを用いてそれに対し選択的な紫外線露光硬化を行う。さらに照射硬化材料を溶解できる溶媒を用いて、硬化したマイクロカプセル部分を除去し、赤色マイクロカプセルを電極板の特定の位置に塗布する。上記ステップを繰り返すことによって、緑色と青色のマイクロカプセルを規則的に電極板上に配列させる。製造された表示装置に対し、電極板間の電圧を調整することにより、カラー表示を実現できる。比較的優れた表示効果が得られるものの、マイクロカプセル塗布工程は比較的複雑であり、反復的な露光を行い、溶媒に含浸する必要があるため、マイクロカプセルに対し大きく損傷を与えてしまい、且つ良品率は低い。
【０００７】
特許文献１はカラーフィルターを有する電気泳動表示装置を開示した。この技術によりカラー化が実現できるものの、表示装置の光反射率を低減させるため、表示効果に影響する。
【０００８】
マイクロカプセル上にカラーフィルター（ｃｏｌｏｒ  ｆｉｌｔｅｒ）を設ける手段では、カラー化が実現できるものの、光の入射、反射時には、カラーフィルター及びマイクロカプセルを二回透過、通過する必要がある。即ち、四層の膜を通過する必要があり、このため光損失は大きく、光反射率は３５％に低減し、場合によっては２０％にまで低下する。光が弱い場合、明暗コントラスト比は著しく低下する。
【０００９】
特許文献２はカラーマイクロカプセル電気泳動表示装置の実施例について開示している。この技術は主に、光リソグラフィの手法を用いるもので、反復して多数回に渡りエッチング操作を行う必要があり、工程が複雑で、制御が難しく、操作可能性が低い。また同時に、エッチングのマイクロカプセルに対する損傷は比較的大きいため、マイクロカプセルの品質及び表示装置の表示効果について保証できない。
【先行技術文献】
【特許文献】
【００１０】
【特許文献１】米国特許出願公開第２００３／００２１００５号明細書
【特許文献２】米国特許第６５８３７８０号明細書
【発明の概要】
【発明が解決しようとする課題】
【００１１】
本発明の実施例が解決しようとする技術課題の一つは、如何にカラーマイクロカプセル電気泳動表示の光反射率を高めるかである。
【課題を解決するための手段】
【００１２】
本発明の一つの実施例は、カラーマイクロカプセル電気泳動表示フィルム材の製造方法を提供し、異なる単色マイクロカプセルフィルム材をそれぞれ製造し、粘着剤により前記各単色マイクロカプセルフィルム材を順次積層して粘着させ、複数のフィルム層ユニットを形成し、積層した複数の前記フィルム層ユニットを、表面と垂直な縦方向上において裁断し、カラーマイクロカプセル電気泳動表示フィルム材を得る。
【００１３】
本発明の一つの実施例において、カラーマイクロカプセル電気泳動表示フィルム材の製造方法は以下のステップを含む。
１）白色帯電粒子を含む、赤色、緑色、青色及び黒色の単色電気泳動分散液をそれぞれ製造するステップ、
２）得られた前記各単色電気泳動分散液をそれぞれ単色マイクロカプセル表示粒子に封入するステップであって、例えば、複合凝集法またはインサイチュ（ｉｎ  ｓｉｔｕ）重合法によって前記封入を実現することができるステップ、
３）粘着剤と前記各単色マイクロカプセル表示粒子とをそれぞれ混合させ、それぞれ各単色マイクロカプセル電気泳動表示フィルム材を製造するステップ、
４）粘着剤を用いてそれぞれ異なる前記単色マイクロカプセル電気泳動表示フィルム材を、色の順に順次積層して粘着させることで、複数のフィルム層ユニットが積層したものを得るステップ。
【００１４】
一つの例において、複合凝集法とは、二種類の相反する電荷を帯びる壁材物質を包埋物とし、芯材をその中に分散させた後、系のｐＨ値、温度または水溶液濃度を変えることにより、２種類の壁材が相互作用することにより複合体を形成し、溶解度の低下をもたらし、マイクロカプセルを析出させる方法である。
【００１５】
一つの例において、インサイチュ重合法とは、アルカリ条件下において、尿素とホルムアルデヒド分子の間で、脱水により水に溶解できるプレポリマーを形成し、次に電気泳動液をプレポリマー中において乳化分散させ、溶液ｐＨを酸性に調整し、ポリマー分子中からさらに小分子（水など）を離脱させ、架橋している立体ネットワーク構造を形成する非水溶性縮重合体を形成し、さらにカプセル芯を包むことでマイクロカプセルを形成する方法である。
【００１６】
一つの実施例において、得られた各単色マイクロカプセル電気泳動表示フィルム材において、マイクロカプセルは規則的に配列し、フィルム材の厚さは薄いほど好ましく、好ましい厚さは１〜３個のマイクロカプセルの粒径であり、最も好ましい厚さは１個のマイクロカプセルの粒径である。
【００１７】
一つの実施例において、異なる単色マイクロカプセル電気泳動表示フィルム材を色の順に積層して粘着させ、次に積層体を縦方向において裁断した後、断面は規則的に順次異なる色を呈し、これによりマイクロカプセル電気泳動表示のカラー化を実現できる。また、縦方向裁断は断面を綺麗にすることができ、正確な位置決定ができるという効果が得られる。
【００１８】
一つの実施例において、前記粘着剤は、水溶性アルキド樹脂、水溶性エポキシエステル樹脂、及びアクリル酸アルキルエステル共重合分散乳液中から選ばれる一種とすることができる。
【００１９】
一つの実施例において、前記粘着剤は水性粘着剤または溶媒型粘着剤を選択することができ、アクリル樹脂系（例えばメチルアクリレート）、水性ポリウレタン系、酢酸ビニル樹脂系またはエポキシエステル樹脂系粘着剤を含むが、これに限定されない。
【００２０】
一つの例において、前記縦方向裁断の大きさは１〜１０個のマイクロカプセルの粒径であり、好ましくは、前記縦方向裁断の大きさは１〜５個のマイクロカプセルの粒径であり、さらに好ましくは、前記縦方向裁断の大きさは１〜３個のマイクロカプセルの粒径である。
【００２１】
一つの実施例において、前記マイクロカプセルの粒径は１０〜１００μｍであり、好ましくは、前記マイクロカプセルの粒径は２０〜５０μｍであり、さらに好ましくは、前記マイクロカプセルの粒径は２０〜３０μｍである。
【００２２】
本発明のもう一つの実施例はさらに、カラーマイクロカプセル電気泳動表示装置の製造方法を提供している。この方法は以下のステップを含む。必要なサイズ規格に従って、前記方法によって得られたカラーマイクロカプセル電気泳動表示フィルム材を幅面切断するステップ及び切断した後のカラーマイクロカプセル電気泳動表示フィルム材を、駆動用背面パネル上に貼り合わせて、カラーマイクロカプセル電気泳動表示装置を製造するステップである。
【００２３】
一つの例において、前記粘着剤は、水溶性アルキド樹脂、水溶性エポキシエステル樹脂、及びアクリル酸アルキルエステル共重合分散乳液中から選ばれる一種とすることができる。
【００２４】
一つの実施例において、前記粘着剤は水性粘着剤または溶媒型粘着剤を選択することができ、アクリル樹脂系（例えばメチルアクリレート）、水性ポリウレタン系、酢酸ビニル樹脂系またはエポキシエステル樹脂系粘着剤を含むが、これに限定されない。
【００２５】
一つの例において、前記縦方向裁断の大きさは１〜１０個のマイクロカプセルの粒径であり、好ましくは、前記縦方向裁断の大きさは１〜５個のマイクロカプセルの粒径であり、さらに好ましくは、前記縦方向裁断の大きさは１〜３個のマイクロカプセルの粒径である。
【００２６】
一つの実施例において、前記マイクロカプセルの粒径は１０〜１００μｍであり、好ましくは、前記マイクロカプセルの粒径は２０〜５０μｍであり、さらに好ましくは、前記マイクロカプセルの粒径は２０〜３０μｍである。
【発明の効果】
【００２７】
本発明の実施例はまず、異なる単色マイクロカプセル電気泳動表示フィルム材を製造し、次に各単色フィルム材をカラー表示の規格に従って積層して粘着させ、縦方向裁断の手段により、簡単にカラーマイクロカプセル電気泳動表示フィルム材を製造できるという効果を達成している。
【００２８】
より明確に本発明実施例の技術案を説明するために、以下において実施例の図面について簡単に説明する。明らかなように、下記に記載されている図面は本発明の一部の実施例に関わるものであるが、本発明に対して制限するものではない。
【図面の簡単な説明】
【００２９】
【図１】単色マイクロカプセル電気泳動表示フィルム材の模式図である。
【図２】単色マイクロカプセル電気泳動表示フィルム材の貼り合わせの模式図である。
【図３】貼り合わされた多層単色マイクロカプセル電気泳動表示フィルム材を縦方向に切断した後のカラーマイクロカプセルフィルム材の模式図である。即ち、貼り合わされた単色マイクロカプセル電気泳動表示フィルム材を縦方向切断した後に、９０度回転した模式図である。
【図４】カラーマイクロカプセル電気泳動表示フィルム材のカラーマイクロカプセル電気泳動表示装置の模式図である。
【発明を実施するための形態】
【００３０】
本発明の実施例の目的、技術案及びメリットをさらに明らかにするために、以下において本発明の実施例の図面を参照して、本発明実施例の技術案について明確、全面的な記載をする。明らかなように、記載された実施例は本発明の一部の実施例であり、全ての実施例ではない。記載された本発明の実施例に基づいて、当業者が創作的な労働を必要としない前提で得られるその他のすべての実施例は、いずれも本発明の保護範囲に属するものである。
【００３１】
（実施例１）
１）ポリスチレンに覆われた二酸化チタン微小球の製造
【００３２】
２．０ｇのメタクリロイルオキシプロピルメチルジメトキシシラン（ＭＰＳ）によって改質された二酸化チタン（ＴｉＯ２）、５０ｇの無水エタノール、６ｇのスチレン単体及び０．２ｇの過酸化ベンゾイル（ＢＰＯ）開始剤を用いて、窒素（Ｎ２）雰囲気において、７８℃において１８時間（ｈ）磁力攪拌しながら反応を行う。生成物を遠心し、乾燥してからトルエン中に入れて回流を行い、遠心して抽出する。これを複数回繰り返し、遠心抽出液がＦＩＲ中においてポリスチレンの特徴的な吸収ピークが見られないようにし、これによりポリスチレンによって覆われた二酸化チタン微小球を得る。
【００３３】
２）電子インクマイクロカプセルの製造
【００３４】
０．８ｇのポリスチレン被覆二酸化チタン微小球と０．０８ｇの溶媒緑３を２０ｍｌのテトラクロロジエンと５ｍｌジメチルベンゼンの混合溶媒中に溶解させ、５０℃で超音波下において６０分間（ｍｉｎ）分散させ、電気泳動懸濁液を得た。３０ｇの電気泳動懸濁液を１００ｇの加水分解ポリスチレン−無水マレイン酸共重合体（質量分率３％）中に分散させ、系の温度を５５℃に保持し、攪拌速度９００回転／分（ｒ／ｍｉｎ）の状態下において、質量分率３％の等量のゼラチン水溶液を添加し、質量分率１０％の酢酸によりｐＨ値を４．３に調整し、複合凝集反応を発生させた。系の温度を１０℃まで下げ、質量分率１０％のグルタルアルデヒド水溶液を添加してゼラチンを架橋させ、１０時間継続的に攪拌して、白色帯電粒子を含む緑色マイクロカプセル表示粒子を得た。マイクロカプセルの粒径は２５±１μｍとなる。
【００３５】
それぞれ油溶性赤１０１、油溶性青５０１、油溶性黒６０１を、上記と同じ方法により白色帯電粒子（二酸化チタン粒子）を含む、赤色、青色及び黒色のマイクロカプセル表示粒子を製造する。
【００３６】
３）粘着剤である水溶性アルキド樹脂をそれぞれ、各単色マイクロカプセル表示粒子と混合し、それぞれ単色マイクロカプセル電気泳動表示フィルム材を得る。図１に示すように、このフィルム材の表面と垂直な方向上における厚さは１個のマイクロカプセルの粒径である。
【００３７】
４）粘着剤であるメチルアクリレートを用いて異なる色のマイクロカプセル電気泳動表示フィルム材を、水平方向において青、緑、赤、黒色の順に順次積層して粘着させ、一つのフィルム層のユニットとする。複数のステップを繰り返ことによってＮ個のフィルム層ユニットを図２に示すとおりに形成する。次に、図２において、得られたＮ個のフィルム層ユニットを水平方向（即ちフィルム層の表面）と垂直の縦方向上において裁断する。縦方向の裁断の大きさの例は例えば３個のマイクロカプセルの粒径である。各色の単色マイクロカプセル電気泳動表示フィルム材の横方向の大きさの例は例えば、Ｍ個のマイクロカプセルの粒径である。
【００３８】
裁断した後に回転させ、一個のカラーマイクロカプセル電気泳動表示フィルム材を得る。これは図３に示すとおりである。カラーマイクロカプセル電気泳動表示フィルム材の図３の垂直方向における厚さは３個のマイクロカプセルの粒径であり、水平方向においてはＮ個のマイクロカプセルの粒径である。隣接の青、緑、赤、黒の単色マイクロカプセルは、例えばそれぞれ一つのサブピクセルに対応し、全体的に一つのピクセルユニットに対応する。
【００３９】
５）必要な大きさ規格に従って得られたカラーマイクロカプセル電気泳動表示フィルム材に対して幅面切断ステップ４）を行う。
【００４０】
６）切断した後のカラーマイクロカプセル電気泳動表示フィルム材を、回路装置を含む駆動背面パネル１０上に粘着させ、保護膜２０を貼り付け、カラーマイクロカプセル電気泳動表示装置を得る（図４に示すとおり）。
【００４１】
駆動背面パネル１０は既に知られている方法を用いて製造される。回路装置は例えば、アクティブ駆動回路またはパッシブ駆動回路であり、アクティブ駆動回路は例えば、スイッチデバイスとしての薄膜トランジスタ（ＴＦＴ）を含む。ここで、各サブピクセルに用いるマイクロカプセルと駆動背面パネルにおける各サブピクセル駆動回路とを整列、連結させる。
【００４２】
保護膜２０は例えばガラス片または有機フィルムである。例えば、ポリエチレン（ＰＥ）フィルム材、ポリプロピレン（ＰＰ）フィルム材などである。
【００４３】
本発明の実施例は青、緑、赤、黒の単色マイクロカプセルに限らず、さらにその他の配色方法を用いることもできる。
【００４４】
（実施例２）
１）ポリビニルアルコールで表面修飾された二酸化チタン微小球の製造
【００４５】
１００ｍｇの二酸化チタンを、３５ｍｇのポリビニルアルコールを溶解している１００ｍｌの水中に溶解させ、３０分攪拌する。次に上記系中に５００ｍｌのエタノールを添加して、濾過後の溶液を１０００ｍｌのテトラクロロエチレン中に滴下する。テトラクロロエチレンに溶解できないポリビニルアルコールはゆっくりと二酸化チタン表面に被覆し、修飾層を形成し、生成物を沈殿の形で析出させる。０．８ｇのポリビニルアルコールで覆われた二酸化チタン微小球と、０．０８ｇの溶媒赤１４９を２０ｍｌのテトラクロロエチレンと５ｍｌのジメチルベンゼン混合溶液中に溶解させ、５０℃において６０分超音波分散させ、電気泳動懸濁液を得た。
【００４６】
２）電子インクマイクロカプセルの製造
【００４７】
０．５ｇの尿素を１．４ｍｌの３７％ホルムアルデヒド水溶液中に溶解させ、トリエタノールアミンでｐＨ＝８．５に調整し、８０℃下において１時間反応してプレポリマーを得る。さらに、２５ｍｌの水を取り、ＯＰ−１０乳化剤４８ｍｇ、ドデシルベンゼンスルホン酸ナトリウム１０ｍｇを添加して、攪拌して溶解させ、ステップ１）で得られた電気泳動懸濁液３ｍｌを添加して、室温下において非常に強く４５分攪拌し、乳液とした後にプレポリマーを添加し、３％塩酸水溶液でｐＨ３．５に調整して、７０±５℃において３時間反応させる。直径２５±１５μｍの赤色マイクロカプセルを得る。
【００４８】
溶媒緑７、油溶性青１２２及び油溶性黒６０１を方法に従って、白色帯電粒子（二酸化チタン粒子）を含む緑色、青色及び黒色のマイクロカプセル表示粒子を製造する。
【００４９】
３）粘着剤である水溶性エポキシエステル樹脂をそれぞれ、各単色マイクロカプセル表示粒子と混合させ、各単色マイクロカプセル電気泳動表示フィルム材を得る。このフィルム材の水平方向と垂直な方向における厚さは２個のマイクロカプセルの粒径である。
【００５０】
４）粘着剤である水性ポリウレタン系で異なる単色マイクロカプセル電気泳動表示フィルム材を青、緑、赤、黒の色で順次積層して粘着させ、一つのフィルム層ユニットとする。このように複数のステップを繰り返すことにより、複数（例えばＮ１個）のフィルム材層ユニットを形成する。次に、得られた複数のフィルム層ユニットの積層体を、フィルム層の表面に垂直な方向（縦方向）において裁断する。縦方向裁断の大きさは５個のマイクロカプセルの粒径である。裁断して回転させた後、カラーマイクロカプセル電気泳動表示フィルム材を得た。このカラーマイクロカプセル電気泳動表示フィルム材の、その表面と垂直な方向における厚さは５個のマイクロカプセルの粒径であり、水平方向においてはＮ１個のマイクロカプセルの粒径である。隣接する青、緑、赤、黒の単色マイクロカプセルは例えば、それぞれ一つのサブピクセルに対応し、全体的には一つのピクセルユニットに対応する。
【００５１】
５）必要なサイズ規格に従って得られたカラーマイクロカプセル電気泳動表示フィルム材に対して幅面切断ステップ４）を行う。
【００５２】
６）切断した後のカラーマイクロカプセル電気泳動表示フィルム材を回路装置を含む駆動背面パネル１０上に粘着させ、保護膜２０を貼り付け、カラーマイクロカプセル電気泳動表示装置を得る。
【００５３】
駆動背面パネルは如何なる知られている方法によっても製造することができる。且つ、この回路装置は例えば、アクティブ駆動回路またはパッシブ駆動回路であり、アクティブ駆動回路は例えば、スイッチデバイスとしての薄膜トランジスタ（ＴＦＴ）を含む。ここにおいて、各サブピクセルに用いるマイクロカプセルと駆動背面パネルにおける各サブピクセル駆動回路とを整列、連結させる。
【００５４】
保護膜２０は例えばガラス片または有機フィルムである。例えば、ポリエチレン（ＰＥ）フィルム材、ポリプロピレン（ＰＰ）フィルム材などである。
【００５５】
本発明の実施例は青、緑、赤、黒の単色マイクロカプセルに限らず、さらにその他の配色方法を用いることもできる。
【００５６】
（実施例３）
１）ステアリン酸によって表面修飾された二酸化チタン微小球の製造
【００５７】
５０ｇの二酸化チタンを２００ｍｌの重量パーセント濃度３％のステアリン酸のトルエン溶液中に分散させ、２０分以内に攪拌しながら１００℃まで加熱し、１時間温度を維持させる。温度が低下しないうちに濾過を行い、ｎ−ヘキサンを用いて繰りかえし洗浄を行い、５０℃のドライボックスにおいて修飾後の二酸化チタン微小球を得る。
【００５８】
２）電子インクマイクロカプセルの製造
【００５９】
１．０ｇの表面修飾された後の二酸化チタン微小球と、０．１ｇの油溶性黒６０１を２５ｍｌのテトラクロロジエン２５ｍｌ及び５ｍｌジメチルベンゼンの混合溶媒中に分散させ、５０℃において超音波で７０分分散させ、電気泳動懸濁液を得る。３０ｇの電気泳動懸濁液を１００ｇの加水分解ポリスチレン−無水マレイン酸共重合体（質量分率３％）溶液中に分散させ、系の温度を６０℃に維持する。攪拌速度９００ｒ／ｍｉｎの状態下において、質量分率３％の等量ゼラチン水溶液を添加する。質量分率１０％の酢酸を添加してｐＨ４．５に調整し、複合凝集反応を発生させる。系の温度を１０℃に低下させ、質量分率１０％のグルタルアルデヒド水溶液を添加してゼラチンを連結させ、１２時間攪拌を継続して、白色帯電粒子を含む黒色マイクロカプセル表示粒子を得る。マイクロカプセルの粒径は３０±１０μｍである。
【００６０】
油溶性赤Ｇ、油溶性青５９及び油溶性緑４０２をそれぞれ、と同じ方法に従って、白色帯電粒子（二酸化チタン粒子）を含む赤色、青色及び緑色のマイクロカプセル表示粒子を得る。
【００６１】
３）粘着剤としてアクリル酸アルキルエステル共重合分散乳液を用いて、それぞれ各単色マイクロカプセル表示粒子と混合して、それぞれ各単色マイクロカプセル電気泳動表示フィルム材を得る。このフィルム材の表面と垂直な方向における厚さは３個のマイクロカプセルの粒径である。
【００６２】
４）粘着剤として酢酸ビニル樹脂を用いて、異なる単色マイクロカプセル電気泳動表示フィルム材を青、緑、赤、黒の色の順で順次積層して粘着させて一つのフィルム材層ユニットとし、このように複数のステップを繰り返すことにより複数の（例えばＮ２）フィルム層ユニットを得る。次いで、得られた複数のフィルム材層ユニットの積層体を、フィルム層と垂直な表面の方向（縦方向）において裁断する。縦方向裁断の大きさは３個のマイクロカプセルの粒径である。裁断してから回転させ、カラーマイクロカプセル電気泳動表示フィルム材を得る。このカラーマイクロカプセル電気泳動表示フィルム材は、その表面と垂直な方向における厚さは３個のマイクロカプセルの粒径であり、水平方向ではＮ２個のマイクロカプセルの粒径である。隣接する青色、緑色、赤色、黒色の単色マイクロカプセルは例えば、それぞれ一つのサブピクセルに対応し、全体的には一つの画素ユニットに対応する。
【００６３】
５）必要な大きさ規格に従って得られたカラーマイクロカプセル電気泳動表示フィルム材に対して幅面切断ステップ４）を行う。
【００６４】
６）切断後のカラーマイクロカプセル電気泳動表示フィルム材を、電気回路装置を含む駆動背面パネル上に粘着して、保護フィルム材を貼り付け、これによりカラーマイクロカプセル電気泳動表示装置を得る。
【００６５】
駆動背面パネルは如何なる知られている方法によっても製造することができる。且つ、回路装置は例えば、アクティブ駆動回路またはパッシブ駆動回路であり、アクティブ駆動回路は例えば、スイッチデバイスとしての薄膜トランジスタ（ＴＦＴ）を含む。ここにおいて、各サブピクセルに用いるマイクロカプセルと駆動背面パネルにおける各サブピクセル駆動回路とを整列、連結させる。
【００６６】
保護膜２０は例えばガラス片または有機フィルムである。例えば、ポリエチレン（ＰＥ）フィルム材、ポリプロピレン（ＰＰ）フィルム材などである。
【００６７】
本発明の実施例は青、緑、赤、黒の単色マイクロカプセルに限らず、さらにその他の配色方法を用いることもできる。
【００６８】
本発明の実施例のマイクロカプセル粒子は白色であり、電気泳動分散液はカラーであり、よって光がフィルム材に入射及び反射する場合、透過は２回のみ必要であって、光損失を減少させ、フィルム材の色を明るくして、明暗コントラスト比は高い。よって、光源と比較した場合、本発明の方法で得られたカラーマイクロカプセルフィルム材は、光反射率を低下させず、または低下の程度が非常に小さく、これにより表示効果の改善が得られる。カラーフィルターを被覆しているマイクロカプセルと比較した場合、本発明の方法によって得られたカラーマイクロカプセルフィルム材の光反射率は大きく向上した。光リソグラフィ法と比較して、本発明の方法の工程は簡単で、制御が可能で、操作が容易であり、光リソグラフィの過程において繰り返しエッチング操作を行うことによるマイクロカプセルに対する損傷を防ぐことができる。
【００６９】
この方法によって得られたカラーマイクロカプセル電気泳動表示フィルム材は光反射率が高く、色彩コントラスト比が広く、色の位置決定の正確性などの優れた点を有する。これによって、従来のカラーフィルム材マイクロカプセル電気泳動表示装置の光反射率が低い、色彩コントラスト比が狭いなどの問題点を改善し、同時に、製造工程などの面において工程が簡単であるため、工業化生産を実現することができる。
【００７０】
当業者にとって、本発明の主旨及び実質的な内容を離脱しない限り、各種変更または改良を行うことができ、これらの変更及び改良も本発明の保護範囲に属すると見なされる。
【符号の説明】
【００７１】
１  青色マイクロカプセル表示粒子
２  白色帯電粒子
３  赤色マイクロカプセル表示粒子
４  緑色マイクロカプセル表示粒子
５  黒色マイクロカプセル表示粒子
６  粘着剤
Ｍ  単色マイクロカプセル電気泳動表示フィルム材の横方向の大きさ
Ｎ  単色マイクロカプセル電気泳動表示フィルム材の縦方向フィルム層ユニット数
ＭとＮはいずれも１より大きい整数である。
【図１】
2015503116.tif 000003
【図３】
2015503116.tif 000004
【図４】
2015503116.tif 000005
【図２】
2015503116.tif 000006
【国際調査報告】
2015503116.tif 000007
2015503116.tif 000008
2015503116.tif 000009
2015503116.tif 000010